(57)【特許請求の範囲】
【請求項１】
通信ネットワークに適用される通信方法であって、前記通信ネットワークは、ネットワークコントローラ、第１ユーザ装置、及び少なくとも２つのアクセスネットワークデバイスを具備し、前記少なくとも２つのアクセスネットワークデバイスは、第１通信規格をサポートする第１アクセスネットワークデバイスと、第２通信規格をサポートする第２アクセスネットワークデバイスとを具備し、前記方法は、
前記ネットワークコントローラが、前記第１ユーザ装置と前記少なくとも１つのネットワークデバイスとの間のデータの送信または受信を実施するための、前記第１アクセスネットワークデバイスにより送信された第１メッセージを受信するステップであって、前記第１メッセージは、前記ネットワークコントローラに、前記第１ユーザ装置のための少なくとも１つのネットワークデバイスを設定するように要求するために使用される、ステップと、
前記ネットワークコントローラが、前記第１ユーザ装置のための前記第２アクセスネットワークデバイスを設定するステップと、
を具備し、
前記第１アクセスネットワークデバイスは、前記第１ユーザ装置と制御信号の送信または受信を実施するアクセスネットワークデバイスであり、
前記第１メッセージは、前記第１ユーザ装置と前記少なくとも１つのネットワークデバイスとの間のデータの送信または受信を実施するための、前記第１ユーザ装置のアクセス能力情報を具備し、前記ネットワークコントローラは、前記アクセス能力情報に従って、前記第１ユーザ装置の前記少なくとも１つのネットワークデバイスを設定することを特徴とする通信方法。
【請求項２】
前記通信ネットワークは、第３通信規格をサポートする第３アクセスネットワークデバイスをさらに具備し、前記方法は、
前記ネットワークコントローラが、前記第１ユーザ装置のための前記第３アクセスネットワークデバイスを設定するステップ
をさらに具備することを特徴とする請求項１に記載の方法。
【請求項３】
前記第１ユーザ装置と、前記少なくとも１つのネットワークデバイスとの間のデータの送信または受信を実施するように、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求すること
であることを特徴とする請求項１又は２に記載の方法。
【請求項４】
前記第１ユーザ装置との制御信号の送信または受信の前記実施は、具体的には、Ｃ−Ｐｌａｎｅプロトコルスタックを使用して、前記第１ユーザ装置と前記制御信号の送信または受信を実施すること
であることを特徴とする請求項１から３のいずれか一項に記載の方法。
【請求項５】
前記方法は、
前記ネットワークコントローラが、前記第１アクセスネットワークデバイスを使用して、第２メッセージを前記第１ユーザ装置に送信するステップであって、前記第２メッセージは、前記ネットワークコントローラにより設定された前記少なくとも１つのネットワークデバイスを指示するために使用される、ステップ
をさらに具備することを特徴とする請求項１から４のいずれか一項に記載の方法。
【請求項６】
前記通信ネットワークは、第２ユーザ装置と、前記第２ユーザ装置とデータの送信または受信を実施する第４アクセスネットワークデバイスとをさらに具備し、前記第１ユーザ装置は、前記第２ユーザ装置にデータを送信する必要があり、前記方法は、
前記ネットワークコントローラが、前記第１ユーザ装置とデータの送信または受信を実施するアクセスネットワークデバイスを使用して、前記第１ユーザ装置により送信された前記データを受信するステップと、
前記ネットワークコントローラが、前記第４アクセスネットワークデバイスを使用して、前記データを前記第２ユーザ装置に送信するステップと、
をさらに具備することを特徴とする請求項１から５のいずれか一項に記載の方法。
【請求項７】
前記通信ネットワークは、第３ユーザ装置と、前記第３ユーザ装置とデータの送信または受信を実施する第５アクセスネットワークデバイスをさらに具備し、前記第１ユーザ装置は、前記第３ユーザ装置とワイファイピアツーピア(Wi-Fi P2P)通信を実行する必要があり、前記方法は、
前記第１ユーザ装置とデータの送信または受信を実施するアクセスネットワークデバイスを使用して、前記第１ユーザ装置により送信された第３メッセージを、前記ネットワークコントローラが受信するステップであって、前記第３メッセージは、前記第３ユーザ装置とWi-Fi P2P通信を実施するように要求するために使用される、ステップと、
前記第１ユーザ装置と前記第３ユーザ装置との間のWi-Fi P2P通信を実施するために、前記ネットワークコントローラが、前記第３メッセージに従って、前記第１ユーザ装置及び前記第３ユーザ装置のチャネルリソースを設定するステップと、
をさらに具備することを特徴とする請求項１から５のいずれか一項に記載の方法。
【請求項８】
前記第１通信規格は、無線セルラーネットワーク規格であり、前記第２通信規格は、無線ローカルエリアネットワーク規格であることを特徴とする請求項１から７のいずれか一項に記載の方法。
【請求項９】
通信ネットワークに適用されるネットワークコントローラであって、前記通信ネットワークは、前記ネットワークコントローラ、第１ユーザ装置、及び少なくとも２つのアクセスネットワークデバイスを具備し、前記少なくとも２つのアクセスネットワークデバイスは、第１通信規格をサポートする第１アクセスネットワークデバイスと、第２通信規格をサポートする第２アクセスネットワークデバイスとを具備し、前記ネットワークコントローラは、
前記第１ユーザ装置と前記少なくとも１つのネットワークデバイスとの間のデータの送信または受信を実施するために前記第１アクセスネットワークデバイスにより送信された第１メッセージを受信するように構成された受信ユニットであって、前記第１メッセージは、前記ネットワークコントローラに、前記第１ユーザ装置のための少なくとも１つのネットワークデバイスを設定するように要求するために使用される、受信ユニットと、
前記第１ユーザ装置のための前記第２アクセスネットワークデバイスを設定するように構成された処理ユニットと、
を具備し、
前記第１アクセスネットワークデバイスは、前記第１ユーザ装置と制御信号の送信または受信を実施するアクセスネットワークデバイスであり、
前記第１メッセージは、前記第１ユーザ装置と前記少なくとも１つのネットワークデバイスとの間のデータの送信または受信を実施するための、前記第１ユーザ装置のアクセス能力情報を具備し、前記処理ユニットは、前記アクセス能力情報に従って、前記第１ユーザ装置の前記少なくとも１つのネットワークデバイスを設定する
ことを特徴とするネットワークコントローラ。
【請求項１０】
前記処理ユニットは、前記第１ユーザ装置のための第３アクセスネットワークデバイスを設定するようにさらに構成されることを特徴とする請求項９に記載のネットワークコントローラ。
【請求項１１】
前記第１ユーザ装置と、前記少なくとも１つのネットワークデバイスとの間のデータの送信または受信を実施するように、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求すること
であることを特徴とする請求項９又は１０に記載のネットワークコントローラ。
【請求項１２】
前記第１ユーザ装置との制御信号の送信または受信を実施することは、具体的には、Ｃ−Ｐｌａｎｅプロトコルスタックを使用して、前記第１ユーザ装置と前記制御信号の送信または受信を実施すること
であることを特徴とする請求項９から１１のいずれか一項に記載のネットワークコントローラ。
【請求項１３】
前記ネットワークコントローラは、
前記第１アクセスネットワークデバイスを使用して、第２メッセージを前記第１ユーザ装置に送信するように構成された送信ユニットであって、前記第２メッセージは、前記ネットワークコントローラにより設定された前記少なくとも１つのネットワークデバイスを指示するために使用される、送信ユニットをさらに具備する
ことを特徴とする請求項９から１２のいずれか一項に記載のネットワークコントローラ。
【請求項１４】
前記通信ネットワークは、第２ユーザ装置と、前記第２ユーザ装置とデータの送信または受信を実施する第４アクセスネットワークデバイスとをさらに具備し、前記第１ユーザ装置は、前記第２ユーザ装置にデータを送信する必要があり、
前記受信ユニットは、前記第１ユーザ装置とデータの送信または受信を実施するアクセスネットワークデバイスを使用して、前記第１ユーザ装置により送信された前記データを受信するようにさらに構成され、
前記送信ユニットは、前記第４アクセスネットワークデバイスを使用して、前記データを前記第２ユーザ装置に送信するようにさらに構成されている
ことを特徴とする請求項９から１３のいずれか一項に記載のネットワークコントローラ。
【請求項１５】
前記通信ネットワークは、第３ユーザ装置と、前記第３ユーザ装置とデータの送信または受信を実施する第５アクセスネットワークデバイスとをさらに具備し、前記第１ユーザ装置は、前記第３ユーザ装置とワイファイピアツーピア(Wi-Fi P2P)通信を実行する必要があり、
前記受信ユニットは、前記第１ユーザ装置とデータの送信または受信を実施するアクセスネットワークデバイスを使用して、前記第１ユーザ装置により送信された第３メッセージを受信するようにさらに構成され、前記第３メッセージは、前記第３ユーザ装置とWi-Fi P2P通信を実施するように要求するために使用され、
前記処理ユニットは、前記第３メッセージに従って、前記第１ユーザ装置及び前記第３ユーザ装置のチャネルリソースを設定し、前記第１ユーザ装置と前記第３ユーザ装置との間のWi-Fi P2P通信を実施するようにさらに構成されている
ことを特徴とする請求項９から１３のいずれか一項に記載のネットワークコントローラ。
【請求項１６】
前記第１通信規格は、無線セルラーネットワーク規格であり、前記第２通信規格は、無線ローカルエリアネットワーク規格であることを特徴とする請求項９から１５のいずれか一項に記載のネットワークコントローラ。
【請求項１７】
通信ネットワークに適用される通信方法であって、前記通信ネットワークは、ネットワークコントローラ、第１ユーザ装置、及び少なくとも２つのアクセスネットワークデバイスを具備し、前記少なくとも２つのアクセスネットワークデバイスは、第１通信規格をサポートする第１アクセスネットワークデバイスと、第２通信規格をサポートする第２アクセスネットワークデバイスとを具備し、前記方法は、
前記第１ユーザ装置により、前記第１アクセスネットワークデバイスを使用して、前記第１ユーザ装置と前記少なくとも１つのネットワークデバイスとの間のデータの送信または受信を実施するための、第１メッセージを前記ネットワークコントローラに送信するステップであって、前記第１メッセージは、前記ネットワークコントローラに、前記第１ユーザ装置のための少なくとも１つのネットワークデバイスを設定するように要求するために使用される、ステップと、
前記第１ユーザ装置により、前記第１アクセスネットワークデバイスを使用して、前記ネットワークコントローラにより送信された第２メッセージを受信するステップであって、前記第２メッセージは、前記ネットワークコントローラにより設定された前記少なくとも１つのネットワークデバイスは、前記第２アクセスネットワークデバイスを具備していることを示すために使用される、ステップと、
を具備し、
前記第１アクセスネットワークデバイスは、前記第１ユーザ装置と制御信号の送信または受信を実施するアクセスネットワークデバイスであり、
前記第１メッセージは、前記ネットワークコントローラが、アクセス能力情報に従って前記第１ユーザ装置のための前記少なくとも１つのネットワークデバイスを設定できるように、前記第１ユーザ装置と前記少なくとも１つのネットワークデバイスとの間のデータの送信または受信を実施するための、前記第１ユーザ装置のアクセス能力情報を具備することを特徴とする通信方法。
【請求項１８】
前記通信ネットワークは、第３通信規格をサポートする第３アクセスネットワークデバイスをさらに具備し、前記第２メッセージにより示されるとともに前記ネットワークコントローラにより設定された前記少なくとも１つのアクセスネットワークデバイスは、前記第３アクセスネットワークデバイスをさらに具備することを特徴とする請求項１７に記載の方法。
【請求項１９】
前記第１ユーザ装置と、前記少なくとも１つのネットワークデバイスとの間のデータの送信または受信を実施するように、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求すること、
であることを特徴とする請求項１７又は１８に記載の方法。
【請求項２０】
前記第１ユーザ装置との制御信号の送信または受信の前記実施は、具体的には、Ｃ−Ｐｌａｎｅプロトコルスタックを使用して、前記第１ユーザ装置と前記制御信号の送信または受信を実施すること、
であることを特徴とする請求項１７から１９のいずれか一項に記載の方法。
【請求項２１】
前記通信ネットワークは、第２ユーザ装置と、前記第２ユーザ装置とデータの送信または受信を実施する第４アクセスネットワークデバイスとをさらに具備し、前記第１ユーザ装置は、前記第２ユーザ装置にデータを送信する必要があり、前記方法は、
前記ネットワークコントローラが、前記第４アクセスネットワークデバイスを使用して、データを前記第２ユーザ装置に送信できるように、前記第１ユーザ装置とデータの送信または受信を実施するアクセスネットワークデバイスを使用して、前記第１ユーザ装置が、データを前記ネットワークコントローラに送信するステップをさらに具備する
ことを特徴とする請求項１７から２０のいずれか一項に記載の方法。
【請求項２２】
前記通信ネットワークは、第３ユーザ装置と、前記第３ユーザ装置とデータの送信または受信を実施する第５アクセスネットワークデバイスをさらに具備し、前記第１ユーザ装置は、前記第３ユーザ装置とワイファイピアツーピア(Wi-Fi P2P)通信を実行する必要があり、前記方法は、
前記第１ユーザ装置により、前記第１ユーザ装置とデータの送信または受信を実施するアクセスネットワークデバイスを使用して、第３メッセージを前記ネットワークコントローラに送信するステップであって、前記第３メッセージは、前記第３ユーザ装置とWi-Fi P2P通信を実施するように要求するために使用される、ステップと、
前記第１ユーザ装置により、前記第１ユーザ装置とデータの送信または受信を実施する前記アクセスネットワークデバイスを使用して、前記ネットワークコントローラにより送信された第４メッセージを受信するステップであって、前記第４メッセージは、前記第１ユーザ装置及び前記第３ユーザ装置の前記ネットワークコントローラにより設定されたチャネルリソースを示すために使用される、ステップと、
をさらに具備することを特徴とする請求項１７から２０のいずれか一項に記載の方法。
【請求項２３】
前記第１通信規格は、無線セルラーネットワーク規格であり、前記第２通信規格は、無線ローカルエリアネットワーク規格であることを特徴とする請求項１７から２２のいずれか一項に記載の方法。
【請求項２４】
通信ネットワークに適用されるユーザ装置であって、前記通信ネットワークは、ネットワークコントローラ、第１ユーザ装置、及び少なくとも２つのアクセスネットワークデバイスを具備し、前記少なくとも２つのアクセスネットワークデバイスは、第１通信規格をサポートする第１アクセスネットワークデバイスと、第２通信規格をサポートする第２アクセスネットワークデバイスとを具備し、前記ユーザ装置は、前記第１ユーザ装置であり、前記第１ユーザ装置は、
前記第１アクセスネットワークデバイスを使用して、前記第１ユーザ装置と前記少なくとも１つのネットワークデバイスとの間のデータの送信または受信を実施するために、第１メッセージを前記ネットワークコントローラに送信するように構成された送信ユニットであって、前記第１メッセージは、前記ネットワークコントローラに、前記第１ユーザ装置のための少なくとも１つのネットワークデバイスを設定するように要求するために使用される、送信ユニットと、
前記第１アクセスネットワークデバイスを使用して、前記ネットワークコントローラにより送信された第２メッセージを受信するように構成された受信ユニットであって、前記第２メッセージは、前記ネットワークコントローラにより設定された前記少なくとも１つのネットワークデバイスは、前記第２アクセスネットワークデバイスを具備していることを示すために使用される、受信ユニットと、
を具備し、
前記第１アクセスネットワークデバイスは、前記第１ユーザ装置と制御信号の送信または受信を実施するアクセスネットワークデバイスであり、
前記ネットワークコントローラが、アクセス能力情報に従って前記第１ユーザ装置のための前記少なくとも１つのネットワークデバイスを設定できるように、前記第１メッセージは、前記第１ユーザ装置と前記少なくとも１つのネットワークデバイスとの間のデータの送信または受信を実施するための前記第１ユーザ装置のアクセス能力情報を具備することを特徴とするユーザ装置。
【請求項２５】
前記通信ネットワークは、第３通信規格をサポートする第３アクセスネットワークデバイスをさらに具備し、前記第２メッセージにより示されるとともに前記ネットワークコントローラにより設定された前記少なくとも１つのアクセスネットワークデバイスは、前記第３アクセスネットワークデバイスをさらに具備することを特徴とする請求項２４に記載のユーザ装置。
【請求項２６】
前記第１ユーザ装置と、前記少なくとも１つのネットワークデバイスとの間のデータの送信または受信を実施するように、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求すること、
であることを特徴とする請求項２４又は２５に記載のユーザ装置。
【請求項２７】
前記第１ユーザ装置との制御信号の送信または受信を実施することは、具体的には、Ｃ−Ｐｌａｎｅプロトコルスタックを使用して、前記第１ユーザ装置と前記制御信号の送信または受信を実施すること、
であることを特徴とする請求項２４から２６のいずれか一項に記載のユーザ装置。
【請求項２８】
前記通信ネットワークは、第２ユーザ装置と、前記第２ユーザ装置とデータの送信または受信を実施する第４アクセスネットワークデバイスとをさらに具備し、前記第１ユーザ装置は、前記第２ユーザ装置にデータを送信する必要があり、
前記送信ユニットは、前記ネットワークコントローラが、前記第４アクセスネットワークデバイスを使用して、データを前記第２ユーザ装置に送信できるように、前記第１ユーザ装置とデータの送信または受信を実施するアクセスネットワークデバイスを使用して、前記ネットワークコントローラに前記データを送信するようにさらに構成されている
ことを特徴とする請求項２４から２７のいずれか一項に記載のユーザ装置。
【請求項２９】
前記通信ネットワークは、第３ユーザ装置と、前記第３ユーザ装置とデータの送信または受信を実施する第５アクセスネットワークデバイスとを具備し、前記第１ユーザ装置は、前記第３ユーザ装置とワイファイピアツーピア(Wi-Fi P2P)通信を実行する必要があり、
前記送信ユニットは、前記第１ユーザ装置とデータの送信または受信を実施するアクセスネットワークデバイスを使用して、第３メッセージを前記ネットワークコントローラに送信するようにさらに構成され、前記第３メッセージは、前記第３ユーザ装置とWi-Fi P2P通信を実行することを要求するために使用され、
前記受信ユニットは、前記第１ユーザ装置とデータの送信または受信を実施する前記アクセスネットワークデバイスを使用して、前記ネットワークコントローラにより送信された第４メッセージを受信するようにさらに構成され、前記第４メッセージは、前記第１ユーザ装置及び前記第３ユーザ装置の前記ネットワークコントローラにより設定されたチャネルリソースを示すために使用される
ことを特徴とする請求項２４から２７のいずれか一項に記載のユーザ装置。
【請求項３０】
前記第１通信規格は、無線セルラーネットワーク規格であり、前記第２通信規格は、無線ローカルエリアネットワーク規格であることを特徴とする請求項２４から２９のいずれか一項に記載のユーザ装置。
【請求項３１】
プログラムが記録されたコンピュータ可読記憶媒体であって、前記プログラムは、請求項１から８のいずれか一項の方法をコンピュータに実行させることを特徴とするコンピュータ可読記憶媒体。
【請求項３２】
プログラムが記録されたコンピュータ可読記憶媒体であって、前記プログラムは、請求項１７から２３のいずれか一項の方法をコンピュータに実行させることを特徴とするコンピュータ可読記憶媒体。
【発明の詳細な説明】
【技術分野】
【０００１】
本発明は、通信技術に関連し、特に、ネットワークアクセス方法、デバイス、およびシステムに関する。
【背景技術】
【０００２】
通信技術の発展に伴い、無線リソースがますます豊かになっている。例えば、異なる無線アクセス技術(RAT, radio access technology)を別々にサポートする通信規格が使用され得、将来、新たな通信規格が導入され得る。さらに、異なる通信規格のカバレッジが重複する。
【０００３】
ユーザ装置(UE, user equipment)は、ネットワークにアクセスするためのユーザ装置のサービス特性などに応じて適切な無線リソースを選択する必要がある。しかし、従来技術では、ＵＥのこれらの特性に従って、ＵＥのデータの送信または受信チャネルを柔軟に確立することができない。その結果、不要な無駄が生じる。
【発明の概要】
【課題を解決するための手段】
【０００４】
この観点から、本発明は、無線リソースを適切かつ効率的に使用し、ユーザのサービス品質(QoS, quality of service)を向上させることができる、ＵＥのための適切な無線リソースを選択するための方法、デバイス、およびシステムを提供する。
【０００５】
第１の態様によれば、本発明の実施形態は、通信ネットワークに適用される通信方法を提供し、前記通信ネットワークは、ネットワークコントローラ、第１ユーザ装置、及び少なくとも２つのアクセスネットワークデバイスを含み、前記少なくとも２つのアクセスネットワークデバイスは、第１通信規格をサポートする第１アクセスネットワークデバイスと、第２通信規格をサポートする第２アクセスネットワークデバイスとを含み、前記ネットワークコントローラは、前記第１ユーザ装置と前記少なくとも１つのネットワークデバイスとの間のデータの送信または受信を実施するために前記第１アクセスネットワークデバイスにより送信された第１メッセージを受信し、前記第１メッセージは、前記ネットワークコントローラに、前記第１ユーザ装置のための少なくとも１つのネットワークデバイスを設定するように要求するために使用され、前記ネットワークコントローラは、前記第１ユーザ装置の前記第２アクセスネットワークデバイスを設定し、前記第１アクセスネットワークデバイスは、前記第１ユーザ装置と制御信号の送信または受信を実施するアクセスネットワークデバイスである。
【０００６】
第１の態様に関連し、第１の態様の第１の実施形態において、前記ネットワークコントローラは、前記第１ユーザ装置の前記第３アクセスネットワークデバイスを設定する。
【０００７】
第１の態様、又は前述の実施形態に関連し、第１の態様の第２の実施形態において、前記第１メッセージは、前記第１ユーザ装置と前記少なくとも１つのネットワークデバイスとの間のデータの送信または受信を実施するための、前記第１ユーザ装置のアクセス能力情報を含み、前記ネットワークコントローラは、前記アクセス能力情報に従って、前記第１ユーザ装置の前記少なくとも１つのネットワークデバイスを設定する。
【０００８】
第１の態様、又は前述の実施形態に関連し、第１の態様の第３の実施形態において、前記第１ユーザ装置と前記少なくとも１つのネットワークデバイスとの間のデータの送信または受信を実施するために、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求することである。
【０００９】
第１の態様、又は前述の実施形態に関連し、第１の態様の第４の実施形態において、前記第１ユーザ装置との制御信号の送信または受信の前記実施は、具体的には、Ｃ−Ｐｌａｎｅプロトコルスタックを使用して、前記第１ユーザ装置と前記制御信号の送信または受信を実施することである。
【００１０】
第１の態様、又は前述の実施形態に関連し、第１の態様の第５の実施形態において、前記ネットワークコントローラは、前記第１アクセスネットワークデバイスを使用して、第２メッセージを前記第１ユーザ装置に送信し、前記第２メッセージは、前記ネットワークコントローラにより設定された前記少なくとも１つのネットワークデバイスを指示するために使用される。
【００１１】
第１の態様、又は前述の実施形態に関連し、第１の態様の第６の実施形態において、前記通信ネットワークは、第２ユーザ装置と、前記第２ユーザ装置とデータの送信または受信を実施する第４アクセスネットワークデバイスとをさらに含み、前記第１ユーザ装置は、前記第２ユーザ装置にデータを送信する必要があり、前記ネットワークコントローラは、前記第１ユーザ装置とデータの送信または受信を実施するアクセスネットワークデバイスを使用して、前記第１ユーザ装置により送信された前記データを受信し、前記ネットワークコントローラは、前記第４アクセスネットワークデバイスを使用して、前記データを前記第２ユーザ装置に送信する。
【００１２】
第１の態様、又は前述の実施形態に関連し、第１の態様の第７の実施形態において、前記通信ネットワークは、第３ユーザ装置と、前記第３ユーザ装置とデータの送信または受信を実施する第５アクセスネットワークデバイスとをさらに含み、前記第１ユーザ装置は、前記第３ユーザ装置とワイファイピアツーピア(Wi-Fi P2P)通信を実行する必要があり、
前記ネットワークコントローラは、前記第１ユーザ装置とデータの送信または受信を実施するアクセスネットワークデバイスを使用して、前記ユーザ装置により送信された第３メッセージを受信し、前記第３メッセージは、前記第３ユーザ装置とWi-Fi P2P通信を実施するように要求するために使用され、前記ネットワークコントローラは、前記第１ユーザ装置と前記第３ユーザ装置との間のWi-Fi P2P通信を実施するために、前記第３メッセージに従って、前記第１ユーザ装置及び前記第３ユーザ装置のチャネルリソースを設定する。
【００１３】
第１の態様、又は前述の実施形態に関連し、第１の態様の第８の実施形態において、前記第１通信規格は、無線セルラーネットワーク規格であり、前記第２通信規格は、無線ローカルエリアネットワーク規格である。
【００１４】
第２の態様によれば、本発明の実施形態は、通信ネットワークに適用されるネットワークコントローラを提供し、前記通信ネットワークは、前記ネットワークコントローラ、第１ユーザ装置、及び少なくとも２つのアクセスネットワークデバイスを含み、前記少なくとも２つのアクセスネットワークデバイスは、第１通信規格をサポートする第１アクセスネットワークデバイスと、第２通信規格をサポートする第２アクセスネットワークデバイスとを含み、前記ネットワークコントローラは、
前記第１ユーザ装置と前記少なくとも１つのネットワークデバイスとの間のデータの送信または受信を実施するために前記第１アクセスネットワークデバイスにより送信された第１メッセージを受信するように構成された受信ユニットであって、前記第１メッセージは、前記ネットワークコントローラに、前記第１ユーザ装置のための少なくとも１つのネットワークデバイスを設定するように要求するために使用される、受信ユニットと、前記第１ユーザ装置の前記第２アクセスネットワークデバイスを設定するように構成された処理ユニットであって、前記第１アクセスネットワークデバイスは、前記第１ユーザ装置と制御信号の送信または受信を実施するアクセスネットワークデバイスである、処理ユニットと
を含む。
【００１５】
第２の態様に関連し、第２の態様の第１の実施形態において、前記処理デバイスは、前記第１ユーザ装置の前記第３アクセスネットワークデバイスを設定するようにさらに構成される。
【００１６】
第２の態様、又は前述の実施形態に関連し、第２の態様の第２の実施形態において、前記第１メッセージは、前記第１ユーザ装置と前記少なくとも１つのネットワークデバイスとの間のデータの送信または受信を実施するための、前記第１ユーザ装置のアクセス能力情報を含み、前記処理デバイスは、前記アクセス能力情報に従って、前記第１ユーザ装置の前記少なくとも１つのネットワークデバイスを設定する。
【００１７】
第２の態様、又は前述の実施形態に関連し、第２の態様の第３の実施形態において、前記第１ユーザ装置と、前記少なくとも１つのネットワークデバイスとの間のデータの送信または受信を実施するように、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求することである。
【００１８】
第２の態様、又は前述の実施形態に関連し、第２の態様の第４の実施形態において、前記第１ユーザ装置との制御信号の送信または受信の前記実施は、具体的には、Ｃ−Ｐｌａｎｅプロトコルスタックを使用して、前記第１ユーザ装置と前記制御信号の送信または受信を実施することである。
【００１９】
第２の態様、又は前述の実施形態に関連し、第２の態様の第５の実施形態において、前記ネットワークコントローラは、前記第１アクセスネットワークデバイスを使用して、第２メッセージを前記第１ユーザ装置に送信するように構成された送信ユニットであって、前記第２メッセージは、前記ネットワークコントローラにより設定された前記少なくとも１つのネットワークデバイスを指示するために使用される、送信ユニットをさらに含む。
【００２０】
第２の態様、又は前述の実施形態に関連し、第２の態様の第２の実施形態の第６の実施方式において、前記通信ネットワークは、第２ユーザ装置と、前記第２ユーザ装置とデータの送信または受信を実施する第４アクセスネットワークデバイスとをさらに含み、前記第１ユーザ装置は、前記第２ユーザ装置にデータを送信する必要があり、前記受信ユニットは、前記第１ユーザ装置とデータの送信または受信を実施するアクセスネットワークデバイスを使用して、前記第１ユーザ装置により送信された前記データを受信するようにさらに構成され、前記送信ユニットは、前記第４アクセスネットワークデバイスを使用して、前記データを前記第２ユーザ装置に送信するようにさらに構成されている。
【００２１】
第２の態様、又は前述の実施形態に関連し、第２の態様の第７の実施形態において、前記通信ネットワークは、第３ユーザ装置と、前記第３ユーザ装置とデータの送信または受信を実施する第５アクセスネットワークデバイスをさらに含み、前記第１ユーザ装置は、前記第３ユーザ装置とワイファイピアツーピア(Wi-Fi P2P)通信を実行する必要があり、前記受信ユニットは、前記第１ユーザ装置とデータの送信または受信を実施するアクセスネットワークデバイスを使用して、前記ユーザ装置により送信された第３メッセージを受信するようにさらに構成され、前記第３メッセージは、前記第３ユーザ装置とWi-Fi P2P通信を実施するように要求するために使用され、前記処理ユニットは、前記第３メッセージに従って、前記第１ユーザ装置及び前記第３ユーザ装置のチャネルリソースを設定し、前記第１ユーザ装置と前記第３ユーザ装置との間のWi-Fi P2P通信を実施するようにさらに構成される。
【００２２】
第２の態様、又は前述の実施形態に関連し、第２の態様の第８の実施形態において、前記第１通信規格は、無線セルラーネットワーク規格であり、前記第２通信規格は、無線ローカルエリアネットワーク規格である。
【００２３】
第３の態様によれば、本発明の実施形態は、通信ネットワークに適用される別の通信方法を提供し、前記通信ネットワークは、ネットワークコントローラ、第１ユーザ装置、及び少なくとも２つのアクセスネットワークデバイスを含み、前記少なくとも２つのアクセスネットワークデバイスは、第１通信規格をサポートする第１アクセスネットワークデバイスと、第２通信規格をサポートする第２アクセスネットワークデバイスとを含み、前記方法は、前記第１ユーザ装置が、前記第１アクセスネットワークデバイスを使用して、前記第１ユーザ装置と前記少なくとも１つのネットワークデバイスとの間のデータの送信または受信を実施するために、第１メッセージを前記ネットワークコントローラに送信するステップであって、前記第１メッセージは、前記ネットワークコントローラに、前記第１ユーザ装置のための少なくとも１つのネットワークデバイスを設定するように要求するために使用される、ステップと、前記第１ユーザ装置が、前記第１アクセスデバイスを使用して、前記ネットワークコントローラにより送信された第２メッセージを受信するステップであって、前記第２メッセージは、前記ネットワークコントローラにより設定された前記少なくとも１つのネットワークデバイスが、前記第２アクセスデバイスを含んでいることを示すために使用され、前記第１アクセスネットワークデバイスは、前記第１ユーザ装置と制御信号の送信または受信を実施するアクセスネットワークデバイスである、ステップと、を含む。
【００２４】
第３の態様に関連し、第３の態様の第１の実施形態において、前記通信ネットワークは、第３通信規格をサポートする第３アクセスネットワークデバイスをさらに含み、前記第２メッセージにより示されるとともに前記ネットワークコントローラにより設定された前記少なくとも１つのアクセスデバイスは、前記第３アクセスネットワークデバイスをさらに含む。
【００２５】
第３の態様、又は前述の実施形態に関連し、第３の態様の第２の実施形態において、前記第１メッセージは、前記ネットワークコントローラが、アクセス能力情報に従って前記第１ユーザ装置のための前記少なくとも１つのネットワークデバイスを設定できるように、前記第１ユーザ装置と前記少なくとも１つのネットワークデバイスとの間のデータの送信または受信を実施するための、前記第１ユーザ装置のアクセス能力情報を含む。
【００２６】
第３の態様、又は前述の実施形態に関連し、第３の態様の第３の実施形態において、前記第１ユーザ装置と、前記少なくとも１つのネットワークデバイスとの間のデータの送信または受信を実施するように、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求することである。
【００２７】
第３の態様、又は前述の実施形態に関連し、第３の態様の第４の実施形態において、前記第１ユーザ装置との制御信号の送信または受信の前記実施は、具体的には、Ｃ−Ｐｌａｎｅプロトコルスタックを使用して、前記第１ユーザ装置と前記制御信号の送信または受信を実施することである。
【００２８】
第３の態様、又は前述の実施形態に関連し、第３の態様の第５の実施形態において、前記通信ネットワークは、第２ユーザ装置と、前記第２ユーザ装置とデータの送信または受信を実施する第４アクセスネットワークデバイスとをさらに含み、前記第１ユーザ装置は、前記第２ユーザ装置にデータを送信する必要があり、前記方法は、
前記ネットワークコントローラが、前記第４アクセスネットワークデバイスを使用して、データを前記第２ユーザ装置に送信できるように、前記第１ユーザ装置が、前記第１ユーザ装置とデータの送信または受信を実施するアクセスネットワークデバイスを使用して、データを前記ネットワークコントローラに送信するステップ
をさらに含む。
【００２９】
第３の態様、又は前述の実施形態に関連し、第３の態様の第６の実施形態において、前記通信ネットワークは、第３ユーザ装置と、前記第３ユーザ装置とデータの送信または受信を実施する第５アクセスネットワークデバイスをさらに含み、前記第１ユーザ装置は、前記第３ユーザ装置とワイファイピアツーピア(Wi-Fi P2P)通信を実行する必要があり、前記方法は、前記第１ユーザ装置が、前記第１ユーザ装置とデータの送信または受信を実施するアクセスネットワークデバイスを使用して、第３メッセージを前記ネットワークコントローラに送信するステップであって、前記第３メッセージは、前記第３ユーザ装置とWi-Fi P2P通信を実施するように要求するために使用される、ステップと、前記第１ユーザ装置が、前記第１ユーザ装置とデータの送信または受信を実施する前記アクセスネットワークデバイスを使用して、前記ネットワークコントローラにより送信された第４メッセージを受信するステップであって、前記第４メッセージは、前記第１ユーザ装置及び前記第３ユーザ装置の前記ネットワークコントローラにより設定されたチャネルリソースを示すために使用される、ステップとをさらに含む。
【００３０】
第３の態様、又は前述の実施形態に関連し、第３の態様の第７の実施形態において、前記第１通信規格は、無線セルラーネットワーク規格であり、前記第２通信規格は、無線ローカルエリアネットワーク規格である。
【００３１】
第４の態様によれば、本発明の実施形態は、通信ネットワークに適用される第１ユーザ装置を提供し、前記通信ネットワークは、ネットワークコントローラ、前記第１ユーザ装置、少なくとも２つのアクセスネットワークデバイスを含み、前記少なくとも２つのアクセスネットワークデバイスは、第１通信規格をサポートする第１アクセスネットワークデバイスと、第２通信規格をサポートする第２アクセスネットワークデバイスとを含み、前記ユーザ装置は、前記第１ユーザ装置であり、前記第１ユーザ装置は、前記第１アクセスネットワークデバイスを使用して、前記第１ユーザ装置と前記少なくとも１つのネットワークデバイスとの間のデータの送信または受信を実施するために、第１メッセージを前記ネットワークコントローラに送信するように構成された送信ユニットであって、前記第１メッセージは、前記ネットワークコントローラに、前記第１ユーザ装置のための少なくとも１つのネットワークデバイスを設定するように要求するために使用される、送信ユニットと、前記第１アクセスデバイスを使用して、前記ネットワークコントローラにより送信された第２メッセージを受信するように構成された受信ユニットであって、前記第２メッセージは、前記ネットワークコントローラにより設定された前記少なくとも１つのネットワークデバイスが、前記第２アクセスデバイスを含むことを示すために使用され、前記第１アクセスネットワークデバイスは、前記第１ユーザ装置と制御信号の送信または受信を実施するアクセスネットワークデバイスである、受信ユニットとを含む。
【００３２】
第４の態様に関連し、第４の態様の第１の実施形態において、前記通信ネットワークは、第３通信規格をサポートする第３アクセスネットワークデバイスをさらに含み、前記第２メッセージにより示されるとともに前記ネットワークコントローラにより設定された前記少なくとも１つのアクセスデバイスは、前記第３アクセスネットワークデバイスをさらに含む。
【００３３】
第４の態様、又は前述の実施形態に関連し、第４の態様の第２の実施形態において、前記第１メッセージは、前記ネットワークコントローラが、アクセス能力情報に従って前記第１ユーザ装置のための前記少なくとも１つのネットワークデバイスを設定できるように、前記第１ユーザ装置と前記少なくとも１つのネットワークデバイスとの間のデータの送信または受信を実施するための、前記第１ユーザ装置のアクセス能力情報を含む。
【００３４】
第４の態様、又は前述の実施形態に関連し、第４の態様の第３の実施形態において、前記第１ユーザ装置と、前記少なくとも１つのネットワークデバイスとの間のデータの送信または受信を実施するように、前記第１ユーザ装置の少なくとも１つのネットワークデバイスを設定することを前記ネットワークコントローラに要求することは、具体的には、前記第１ユーザ装置のために、前記少なくとも１つのネットワークデバイスに対応するＵ−Ｐｌａｎｅプロトコルスタックを設定するように前記ネットワークコントローラに要求することである。
【００３５】
第４の態様、又は前述の実施形態に関連し、第４の態様の第４の実施形態において、前記第１ユーザ装置との制御信号の送信または受信の前記実施は、具体的には、Ｃ−Ｐｌａｎｅプロトコルスタックを使用して、前記第１ユーザ装置と前記制御信号の送信または受信を実施することである。
【００３６】
第４の態様、又は前述の実施形態に関連し、第４の態様の第５の実施形態において、前記通信ネットワークは、第２ユーザ装置と、前記第２ユーザ装置とデータの送信または受信を実施する第４アクセスネットワークデバイスとをさらに含み、前記第１ユーザ装置は、前記第２ユーザ装置にデータを送信する必要があり、前記送信ユニットは、前記ネットワークコントローラが、前記第４アクセスネットワークデバイスを使用して、データを前記第２ユーザ装置に送信できるように、前記第１ユーザ装置とデータの送信または受信を実施するアクセスネットワークデバイスを使用して、前記ネットワークコントローラに前記データを送信するようにさらに構成される。
【００３７】
第４の態様、又は前述の実施形態に関連し、第４の態様の第６の実施形態において、前記通信ネットワークは、第３ユーザ装置と、前記第３ユーザ装置とデータの送信または受信を実施する第５アクセスネットワークデバイスとをさらに含み、前記第１ユーザ装置は、前記第３ユーザ装置とワイファイピアツーピア(Wi-Fi P2P)通信を実行する必要があり、前記送信ユニットは、前記第１ユーザ装置とデータの送信または受信を実施するアクセスネットワークデバイスを使用して、第３メッセージを前記ネットワークコントローラに送信するようにさらに構成され、前記第３メッセージは、前記第３ユーザ装置とWi-Fi P2P通信を実施するように要求するために使用され、前記受信ユニットは、前記第１ユーザ装置とデータの送信または受信を実施する前記アクセスネットワークデバイスを使用して、前記ネットワークコントローラにより送信された第４メッセージを受信するようにさらに構成され、前記第４メッセージは、前記第１ユーザ装置及び前記第３ユーザ装置の前記ネットワークコントローラにより設定されたチャネルリソースを示すために使用される。
【００３８】
第４の態様、又は前述の実施形態に関連し、第４の態様の第７の実施形態において、前記第１通信規格は、無線セルラーネットワーク規格であり、前記第２通信規格は、無線ローカルエリアネットワーク規格である。
【００３９】
第５の態様によれば、本発明の実施形態は、通信ネットワークに適用される別のネットワークコントローラを提供し、前記通信ネットワークは、前記ネットワークコントローラ、第１ユーザ装置、及び少なくとも２つのアクセスネットワークデバイスを含み、前記少なくとも２つのアクセスネットワークデバイスは、第１通信規格をサポートする第１アクセスネットワークデバイスと、第２通信規格をサポートする第２アクセスネットワークデバイスとを含み、前記ネットワークコントローラは、受信機、プロセッサ、バス、メモリ、及び送信機を含み、
前記プロセッサは、前記第１ユーザ装置の前記第２アクセスネットワークデバイスを設定するために、前記バスを使用して前記メモリ内の命令を取得し、前記受信ユニットは、前記第１ユーザ装置と前記少なくとも１つのネットワークデバイスとの間のデータの送信または受信を実施するための、前記第１アクセスネットワークデバイスにより送信された第１メッセージを受信するように構成されており、前記第１メッセージは、前記ネットワークコントローラに、前記第１ユーザ装置のための少なくとも１つのネットワークデバイスを設定するように要求するために使用され、前記第１アクセスネットワークデバイスは、前記第１ユーザ装置と制御信号の送信または受信を実施するアクセスネットワークデバイスである。
【００４０】
第６の態様によれば、本発明の実施形態は、通信ネットワークに適用される別の第１ユーザ装置を提供し、前記通信ネットワークは、ネットワークコントローラ、前記第１ユーザ装置、少なくとも２つのアクセスネットワークデバイスを含み、前記少なくとも２つのアクセスネットワークデバイスは、第１通信規格をサポートする第１アクセスネットワークデバイスと、第２通信規格をサポートする第２アクセスネットワークデバイスとを含み、前記第１ユーザ装置は、受信機、プロセッサ、バス、メモリ、及び送信機を含み、
前記送信機は、前記第１アクセスネットワークデバイスを使用して、前記第１ユーザ装置と前記少なくとも１つのネットワークデバイスとの間のデータの送信または受信を実施するために、第１メッセージを前記ネットワークコントローラに送信するように構成され、前記第１メッセージは、前記ネットワークコントローラに、前記第１ユーザ装置のための少なくとも１つのネットワークデバイスを設定するように要求するために使用され、
前記受信機は、前記第１アクセスデバイスを使用して、前記ネットワークコントローラにより送信された第２メッセージを受信するように構成され、前記第２メッセージは、前記ネットワークコントローラにより設定された前記少なくとも１つのネットワークデバイスが、前記第２アクセスデバイスを含んでいることを示すために使用され、
前記第１アクセスネットワークデバイスは、前記第１ユーザ装置と制御信号の送信または受信を実施するアクセスネットワークデバイスである。
【００４１】
本発明の実施形態において提供される技術的ソリューションによれば、ＵＥが複数のアクセスネットワークデバイスを使用して送信または受信を実施できるように、ネットワークコントローラが、ＵＥの少なくとも１つのネットワークデバイスを設定するために、導入される。本発明の実施形態の技術的ソリューションにおいて、より適切なデータの送信または受信チャネルをＵＥのために確立することができる。
【図面の簡単な説明】
【００４２】
【図１】図１は、本発明の一実施形態による通信方法のフローチャートである。
【図２】図２は、本発明の一実施形態によるネットワークアーキテクチャ図である。
【図３】図３は、本発明の一実施形態による別の通信方法のフローチャートである。
【図４】図４は、本発明の一実施形態による別の通信方法のフローチャートである。
【図５】図５は、本発明の一実施形態によるワイファイピアツーピア（Wi-Fi P2P）通信図である。
【図６】図６は、本発明の一実施形態による通信方法の具体的なインタラクションフローチャートである。
【図７】図７は、本発明の一実施形態による別の通信方法の具体的なインタラクションフローチャートである。
【図８】図８は、本発明の一実施形態によるネットワークコントローラの概略構成図である。
【図９】図９は、本発明の一実施形態によるユーザ装置の概略構成図である。
【図１０】図１０は、本発明の一実施形態による他のネットワークコントローラの概略構成図である。
【図１１】図１１は、本発明の一実施形態による他のユーザ装置の概略構成図である。
【発明を実施するための形態】
【００４３】
本発明の技術的ソリューションをより明確にするために、以下では、本発明の実施形態における添付図面を参照して本発明の実施形態における技術的ソリューションを明瞭かつ完全に説明する。以下の実施形態は、本発明の実施形態のすべてではなく、一部にすぎないことは明らかである。
【００４４】
現在、第２世代(2G, 2nd generation)ネットワーク、第３世代(3G, 3rd generation)ネットワーク、及び第４世代(4G, 4th generation)ネットワークが広く適用されている。２Ｇネットワークには、モバイル通信用グローバルシステム(GSM（登録商標）, global system for mobile communication)が含まれる。３Ｇネットワークには、符号分割多元接続(CDMA, code division multiple access)システム、時分割多元接続(TDMA, time division multiple access)システム、周波数分割多元接続(FDMA, frequency division multiple access)システム、直交周波数分割多元接続(OFDMA, orthogonal frequency-division multiple access)システム、大いつ搬送波周波数分割多元接続(SC-FDMA, single carrier FDMA)システムなどを含む。４Ｇネットワークには、ロングタームエボリューション (LTE, long term evolution)システム、ＬＴＥアドバンスト(LTE-A, LTE Advanced)システムなどを含む。また、無線ローカルエリアネットワーク(WLAN, wireless local area network)なども適用される。
【００４５】
これらのネットワークは異なる特性を有している。例えば、ＷＬＡＮは、カバレッジが小さく、送信または受信レートが高いが、信頼性が比較的低い。ＬＴＥネットワークは、広いカバレッジと比較的高い信頼性を備えている。さらに、増加するデータトラフィックに適応するために、大量のマイクロ基地局が配置されている。マイクロ基地局は、カバレッジは小さいが、良好なチャネル状態及び高いデータ転送レートを有している。それに対応して、マクロ基地局は、広いカバレッジを有するが、低いデータ転送レートである。
【００４６】
将来のネットワークが、複数の規格と複数のセルが共存する異機種ネットワークであると推論することは困難ではない。複数のサービスをサポートするＵＥは、異なるサービスに関して、異なるＱｏＳ要件を有する。例えば、音声通信は、高い送信又は受信レートと小さな遅延が要求され、ファイルの送信又は受信は、高い信頼性が要求される。
【００４７】
現在のネットワークでは、無線リソース割り当ての目的は、ネットワーク(１つの通信規格をサポートする)のスペクトル利用効率を改善することである。例えば、抗干渉調整アルゴリズムの場合、主要なタスクは、同じネットワーク内の異なる干渉を調整することであり、ネットワークハンドオーバは、主に、同じネットワーク内のハンドオーバである。
【００４８】
したがって、異なるアクセス能力を備え、複数のサービスを負うＵＥに関しては、データの送信または受信チャネルがＵＥに対して適切に確立される必要がある。
【００４９】
本発明の実施形態において提供される技術的ソリューションによれば、データの送信または受信を実施するために、ＵＥが複数のアクセスネットワークデバイスを使用できるように、ＵＥのための少なくとも１つのネットワークデバイスを設定するネットワークコントローラが紹介される。本発明の実施形態の技術的ソリューションでは、ＵＥに対してより適切なデータの送信または受信チャネルが確立することができる。
【００５０】
図１は、本発明の実施形態による通信方法のフローチャートである。方法は、ネットワークコントローラと第１ＵＥとの間のインタラクションの方法である。方法は、以下のステップを含む。
【００５１】
Ｓ１０１：第１ＵＥは、第１アクセスネットワークデバイスを使用して、第１メッセージをネットワークコントローラに送信する。
【００５２】
Ｓ１０２：ネットワークコントローラは、第１メッセージを受信する。
【００５３】
Ｓ１０３：ネットワークコントローラは、第１ＵＥのための第２アクセスネットワークデバイスを設定する。
【００５４】
本発明のこの実施形態において、ネットワークコントローラは、新たに構成されたネットワーク要素デバイスである。ＵＥにより使用される、データの送信または受信のための無線リソースは、ネットワークコントローラにより制御され得る。
【００５５】
本発明のこの実施形態は、主に異機種ネットワーク、すなわち、複数の規格と複数のセルが共存するネットワークに適用される。異機種ネットワークは、ネットワークコントローラを備え、複数のアクセスネットワークデバイスをさらに含んでいる。アクセスネットワークデバイスは、マクロ基地局であっても、スモールセルであってもよい。例えば、アクセスネットワークデバイスは、eNodeBであってもよく、又はフェムト基地局(HeNB, home eNodeB)、マイクロ基地局(micro base station)、又はピコ基地局(pico base station)などのスモールセルであってもよく、アクセスネットワークデバイスは、NodeB (NodeB)及び無線ネットワークコントローラ(RNC, Radio Network Controller)を含んでもよく、又はアクセスネットワークデバイスは、基地局制御装置(BSC, base station controller)及びベーストランシーバステーション(BTS, base transceiver station)を含んでもよく、又はアクセスネットワークデバイスは、アクセスポイント(AP, access point)であってもよい。これは、本明細書に限定されない。
【００５６】
図２に示すように、本発明のこの実施形態の第１アクセスデバイスは、マクロ基地局であり得、複数のアクセスネットワークデバイスが、マクロ基地局のカバレッジ内に存在する。これらのアクセスデバイスは、マイクロ基地局であっても、ワイファイ(Wi-Fi, wireless-fidelity)基地局であってもよい。これは、本明細書に限定されない。これらのマクロ基地局のカバレッジ内の複数のアクセスデバイスは、複数の通信規格を別々にサポートし得る。少なくとも１つのネットワークデバイスによりサポートされる通信規格は、マクロ基地局によりサポートされるものとは異なる。すなわち、異機種ネットワークが構成されている。マクロ基地局は、複数のアクセスネットワークデバイスを管理し、複数のアクセスネットワークデバイスは、互いに通信し得る。ネットワーク要素デバイスとしてのネットワークコントローラは、異機種ネットワーク内に存在するアクセスネットワークデバイスを管理する。
【００５７】
この実施形態において、マクロ基地局は、ブロードキャスト情報をマクロ基地局のカバレッジ内のＵＥに送信する。ブロードキャスト情報は、周波数及びサポートされる通信規格などの、マクロ基地局の無線送信または受信パラメータを含み得、マイクロ基地局やWi-Fi基地局などに関する情報などの、マクロ基地局により管理されているアクセスネットワークデバイスに関する情報も含み得る。
【００５８】
第１ＵＥは、受信されたブロードキャスト情報に従って、また第１ＵＥのアクセス能力を参照して、マクロ基地局にアクセスするかどうかを決定する。第１ＵＥがマクロ基地局へのアクセスを決定すると、アクセスされるマクロ基地局との制御信号の送信または受信を実施することを要求するために、第１ＵＥは、第１メッセージを送信し得る。
【００５９】
オプションで、制御信号の送信または受信は、第１ＵＥとマクロ基地局との間で実施されてもよい。第１ＵＥとマクロ基地局との間の制御信号の送信または受信は、それらの間のＣ−Ｐｌａｎｅプロトコルスタックを使用することにより、第１ＵＥとマクロ基地局との間で実施されてもよい。
【００６０】
オプションで、第１ＵＥのアクセス能力は、ＵＥ能力、サービスクラス、又はＱｏＳ要求の少なくとも１つである。オプションで、第１メッセージは、第１ＵＥのアクセス能力情報を含んでもよい。
【００６１】
第１ＵＥとネットワーク側との間のデータの送信または受信を実施するために、マクロ基地局は、第１メッセージをネットワークコントローラに転送する。
【００６２】
オプションで、第１ＵＥとネットワーク側との間のデータの送信または受信は、それらの間のＵ−Ｐｌａｎｅプロトコルスタックを使用して、第１ＵＥとアクセスネットワークデバイスとの間で実施されてもよい。
【００６３】
ネットワークコントローラは、第１ＵＥと少なくとも１つのネットワークデバイスとの間のデータの送信または受信を実施するための、第１ＵＥのアクセス能力情報などの第１メッセージに含まれている情報に従って、第１ＵＥのための少なくとも１つのネットワークデバイスを設定し得る。ネットワークコントローラが第１ＵＥのためのアクセスネットワークデバイスを設定する場合、アクセスネットワークデバイスは、第２アクセスネットワークデバイスであり得る。第２アクセスネットワークデバイスによりサポートされる通信規格は、マクロ基地局、すなわち第１アクセスデバイスによりサポートされる通信規格とは異なり得る。当然、実際の場合、第１アクセスネットワークデバイスによりサポートされる通信規格は、第２アクセスネットワークデバイスによりサポートされる通信規格と同じであっても良い。これは、本明細書に限定されない。
【００６４】
オプションで、本発明のこの実施形態は、以下のステップをさらに含む。
【００６５】
Ｓ１０４：ネットワークコントローラは、ＵＥのための第１アクセスデバイスを設定する。
【００６６】
異機種ネットワークにおいて、マクロ基地局、すなわち、第１アクセスネットワークデバイスは、第３アクセスネットワークデバイスをさらに管理してもよい。第３アクセスネットワークデバイスによりサポートされる通信規格は、第２アクセスネットワークデバイスによりサポートされる通信規格とは異なり得る。あるいは、データの送信または受信が第１ＵＥと第２アクセスネットワークデバイスとの間で実施されることを前提として、ネットワークコントローラは、第１ＵＥのための第３アクセスネットワークデバイスを同時に設定してもよい。このようにして、第１ＵＥは、第２アクセスネットワークデバイスとの、次に第３アクセスネットワークデバイスとのデータの送信または受信を実施でき、又は同時に第２ネットワークデバイスおよび第３アクセスネットワークデバイスと同時にデータの送信または受信を実施することができる。２つのアクセスネットワークデバイスはそれぞれ２つの異なる通信規格をサポートする。
【００６７】
Ｓ１０３とＳ１０４は、同時に実行してもよいし、順次実行してもよい。これは、本明細書に限定されない。
【００６８】
当然、実際の必要に応じて、ネットワークコントローラは、第１ＵＥのための３つ以上のアクセスネットワークデバイスを設定してもよい。すなわち、本発明のこの実施形態において、ネットワークコントローラは、データの送信または受信のために、ＵＥのための少なくとも１つのネットワークデバイスを設定する。ネットワークコントローラが第１ＵＥのための３つ以上のアクセスネットワークデバイスを設定する場合、３つ以上のアクセスネットワークデバイスによりサポートされる通信規格の少なくとも１つは、マクロ基地局によりサポートされる通信規格とは異なり得る。オプションで、３つ以上のアクセスネットワークデバイスは、別々に２つ以上の通信規格をサポートしてもよい。オプションで、この場合において、第１ＵＥとの制御信号の送信または受信を実施するアクセスネットワークデバイス、および第１ＵＥとのデータの送信または受信を実施するアクセスネットワークデバイスは、異なる通信規格をサポートしてもよい。例えば、マクロ基地局は、通信規格１をサポートし、ネットワークコントローラは、ＵＥのための３つのアクセスネットワークデバイスを設定し、３つのアクセスネットワークデバイスは、それぞれ通信規格２、通信規格３、及び通信規格４をサポートする。通信規格１、通信規格２、通信規格３、及び通信規格４は、互いに異なっている。
【００６９】
オプションで、本発明のこの実施形態は、以下のステップをさらに含んでもよい。
【００７０】
Ｓ１０５：ネットワークコントローラは、第１アクセスネットワークデバイスを使用して、第２メッセージを第１ＵＥに送信する。
【００７１】
Ｓ１０６：第１ＵＥは、第２メッセージを受信する。
【００７２】
第２メッセージは、ネットワークコントローラにより設定された少なくとも１つのネットワークデバイスを示すために使用される。具体的には、第２メッセージは、第２アクセスネットワークデバイス、第２アクセスネットワークデバイスおよび第３アクセスネットワークデバイス、又は上記のステップにおけるより多くのアクセスネットワークデバイスを示し得る。第２メッセージは、第１ＵＥと設定された少なくとも１つのネットワークデバイスとの間のデータの送信または受信に使用される、使用される必要がある周波数、およびサポートされる通信規格などの無線送信または受信パラメータを含み得る。
【００７３】
第１ＵＥとのデータの送信または受信を実行し得るアクセスネットワークデバイスを学習した後、第１ＵＥは、ネットワーク側とのデータの送信または受信を実施するために、アップリンクアクセス信号をアクセスネットワークデバイスに送信し得る。
【００７４】
オプションで、ネットワークコントローラは、第１ＵＥのアクセス能力情報を、ネットワークコントローラにより設定された、第１ＵＥのためのアクセスネットワークデバイスにさらに送信してもよい。これにより、設定されたアクセスネットワークデバイスは、第１ＵＥのアクセス能力情報に従って、ＵＥとの通信をより適切に調整し得る。
【００７５】
当然、ネットワークコントローラは、代わりに、ネットワークコントローラにより設定されたアクセスネットワークデバイスに、直接通知メッセージを送信してもよい。通知メッセージは、設定されたアクセスネットワークデバイスに、第１ＵＥとのデータの送信または受信を実施するように指示するために使用される。オプションで、通知メッセージは、周波数やサポートされる通信規格などの無線送信または受信パラメータをさらに含んでもよい。
【００７６】
オプションで、周波数などの無線構成パラメータは、事前に設定されたデフォルトパラメータ、又は第１ＵＥのためのアクセスネットワークデバイスをネットワークコントローラにより設定する処理において設定されるパラメータであってもよい。これは、本明細書に限定されない。
【００７７】
第１ＵＥがネットワークにアクセスした後、ネットワークが、第２ＵＥと、第２ＵＥとのデータの送信または受信を実施する第４アクセスネットワークデバイスとをさらに含む場合、及び第１ＵＥがデータを第２ＵＥに送信する必要がある場合、従来技術においては、データは、コアネットワークを使用して送信する必要がある。この方法では、通信遅延を増加させ、ＵＥのＱｏＳを劣化させる。
【００７８】
上記の技術的課題を解決するために、本発明の実施形態は、技術的ソリューションを提供する。図３に示すように、方法は、第１ＵＥとネットワークコントローラとの間のインタラクションの方法であり、以下のステップを含み得る。
【００７９】
Ｓ３０１：第１ＵＥは、第１ＵＥとのデータの送信または受信を実施するアクセスネットワークデバイスを使用することにより、データをネットワークコントローラに送信する。
【００８０】
Ｓ３０２：ネットワークコントローラは、データを受信する。
【００８１】
Ｓ３０３：ネットワークコントローラは、第４アクセスネットワークデバイスを使用して、データを第２ＵＥに送信する。
【００８２】
このソリューションにおいて、ネットワークコントローラは、データの送信または受信機能を、コアネットワーク側を使用することなく実施する。したがって、通信遅延が減少し、サービスデータが効率的かつ簡便に送信され、ユーザのＱｏＳが改善される。
【００８３】
オプションで、第１ＵＥとのデータの送信または受信を実施するアクセスネットワークデバイスは、図１において示されている実施形態における第２アクセスネットワークデバイス、又は第３アクセスネットワークデバイスであってもよい。
【００８４】
第１ＵＥが、第２ＵＥとワイファイピアツーピア(Wi-Fi P2P)通信を実行する必要がある場合には、従来技術における方式は、端末が自律的にチャネルリソースを選択することであり、このソリューションにおいては、無線リソースは、柔軟かつ効率的に使用することはできない。
【００８５】
上記の技術的課題を解決するために、本発明の実施形態は、技術的ソリューションを提供する。図４に示すように、方法は、第１ＵＥとネットワークコントローラとの間のインタラクションの方法であり、以下のステップを含み得る。
【００８６】
Ｓ４０１：第１ＵＥは、第１ＵＥとのデータの送信または受信を実施するアクセスネットワークデバイスを使用して、第３メッセージをネットワークコントローラに送信する。
【００８７】
Ｓ４０２：ネットワークコントローラは、第３メッセージを受信する。
【００８８】
Ｓ４０３：ネットワークコントローラは、第３メッセージに従って、第１ＵＥ及び第２ＵＥのためのチャネルリソースを設定する。
【００８９】
本発明のこの実施形態において提供される技術的ソリューションによれば、ネットワークコントローラは、無線チャネルリソースが、適切かつ効率的に使用できるように、Wi-Fi P2P通信を要求するＵＥのためのチャネルリソースを設定し、ＵＥのＱｏＳが改善される。
【００９０】
第３メッセージは、第２ＵＥとのWi-Fi P2P通信を実行することを要求するために使用され得る。
【００９１】
図５に示すように、第１ＵＥ及び第２ＵＥは、１つのネットワークコントローラの管理範囲内である。ネットワークコントローラは、Wi-Fi P2P通信のためのチャネルリソースを設定し、その後、第１ＵＥとのデータの送信または受信を実施するアクセスネットワークデバイスを使用し、及び第４アクセスネットワークデバイスを使用して、チャネルリソース情報を第１ＵＥと第２ＵＥに別々に送信する。チャネルリソースは、Wi-Fi P2P通信で要求される周波数及び使用される通信規格などの情報を含み得る。
【００９２】
サービス負荷、干渉レベルなどが変化した場合、ネットワークコントローラは、チャネルリソースを更新し、第１ＵＥとのデータの送信または受信を実施するアクセスネットワークデバイスを使用して、及び第４アクセスネットワークデバイスを使用して、チャネルリソース情報を第１ＵＥと第２ＵＥに時間内に別々に送信し得る。
【００９３】
第１ＵＥがターゲットアクセスネットワークデバイスに切り替わる必要がある場合、ネットワークコントローラは、ソースアクセスネットワークデバイス(この方法において、第１ユーザ装置とのデータの送信または受信を前に実施したアクセスネットワークデバイス)を使用して、切り替えコマンドを第１ＵＥに送信し得る。切り替えコマンドは、第１ＵＥが切り替わる必要があるターゲットアクセスネットワークデバイスを含む。
【００９４】
オプションで、このステップの前に、ネットワークコントローラは、ソースアクセスネットワークデバイスを使用して、測定コマンドを第１ＵＥに送信する。測定コマンドは、ターゲットアクセスネットワークデバイスの通信規格及び周波数などの情報を含み得る。
【００９５】
第１ＵＥは、測定コマンドにしたがって、ターゲットアクセスネットワークデバイスに対応するサービスセルの信号品質を測定する。
【００９６】
第１ＵＥは、ソースアクセスネットワークデバイスを使用して、測定結果をネットワークコントローラに送信する。
【００９７】
オプションで、ネットワークコントローラは、第１ＵＥのアクセス能力情報をターゲットアクセスネットワークデバイスに送信し、又は、関連する周波数情報、使用される通信規格などをターゲットアクセスネットワークデバイスに送信してもよい。
【００９８】
図６は、本発明の実施形態によるネットワークアクセス方法のインタラクションフローチャートである。方法は、図１に示されている方法の特定のインタラクションの手順であり、以下のステップを含む。
【００９９】
Ｓ６０１：マクロ基地局は、ブロードキャスト情報を送信する。
【０１００】
ブロードキャスト情報は、ブロードキャストフレームで搬送され得、周波数やサポートされる通信規格などのマクロ基地局の無線送信または受信パラメータを含み、マイクロ基地局及びWi-Fi基地局に関する情報などのマクロ基地局により管理されるアクセスネットワークデバイスに関する情報も含み得る。
【０１０１】
Ｓ６０２：ＵＥは、アクセス要求情報をマクロ基地局に送信する。
【０１０２】
アクセス要求情報は、無線リソース制御接続セットアップ(RRC connection setup)メッセージで搬送され得、ＵＥのアクセス能力情報を含み得る。
【０１０３】
Ｓ６０３：マクロ基地局は、アクセス要求情報をネットワークコントローラに転送する。
【０１０４】
Ｓ６０４：ネットワークコントローラは、ＵＥのために、少なくとも１つの基地局に対応するＵ−Ｐｌａｎｅプロトコルスタックを設定し、少なくとも１つの基地局にアクセスするために、ＵＥにより使用される規格及び周波数などのパラメータを設定する。
【０１０５】
Ｓ６０５：ネットワークコントローラは、構成情報をマクロ基地局に送信する。
【０１０６】
構成情報は、無線リソース制御接続構成(RRC connection configuration)メッセージで搬送され得、少なくとも１つの基地局を示している情報、及び少なくとも１つの基地局にアクセスするために、ＵＥにより使用される規格及び周波数などのパラメータ情報を含む。
【０１０７】
Ｓ６０６：マクロ基地局は、構成情報をＵＥに転送する。
【０１０８】
Ｓ６０７：ＵＥは、構成情報に従って、少なくとも１つの基地局にアクセスする。
【０１０９】
図７は、本発明の実施形態による別の通信方法のインタラクションフローチャートである。この方法は、第１ＵＥがターゲット基地局に切り替わる特定の手順である。ＵＥがターゲット基地局に切り替える必要がある場合、本発明のこの実施形態は、以下のステップを含み得る。
【０１１０】
Ｓ７０１：ネットワークコントローラは、測定コマンドをソース基地局に送信する。
【０１１１】
ソース基地局は、図４のＵＥとユーザプレーンを確立する基地局である。測定コマンドは、通信規格及びターゲット基地局の周波数などの情報を含み得る。
【０１１２】
Ｓ７０２：ソース基地局は、測定コマンドをＵＥに転送する。
【０１１３】
Ｓ７０３：ＵＥは、ターゲット基地局の信号品質を測定する。
【０１１４】
Ｓ７０４：ＵＥは、測定結果をソース基地局に送信する。
【０１１５】
Ｓ７０５：ソース基地局は、測定結果をネットワークコントローラに転送する。
【０１１６】
測定結果に応じて、ＵＥをターゲット基地局に切り替えることを決定する場合、ネットワークコントローラは、以下のステップを実行する。
【０１１７】
Ｓ７０６：ネットワークコントローラは、切り替えコマンドをソース基地局に送信する。
【０１１８】
切り替えコマンドは、ＵＥにターゲット基地局に切り替えるように指示するために使用される。
【０１１９】
切り替えコマンドは、アクセスされるターゲット基地局の周波数及び使用される通信規格などの情報を含み得る。
【０１２０】
Ｓ７０７：基地局は、切り替えコマンドをＵＥに転送する。
【０１２１】
Ｓ７０８：ネットワークコントローラは、ＵＥのアクセス能力情報及びターゲット基地局の周波数などの情報をターゲット基地局に送信する。
【０１２２】
Ｓ７０９：ＵＥは、切り替えコマンドに従ってターゲット基地局をアクセスする。
【０１２３】
本発明の図１から図７に示された実施形態における技術的ソリューションを実施するために、本発明の実施形態は、ネットワークコントローラ８００及び第１ＵＥ９００をさらに提供する。図８に示すように、図８は、ネットワークコントローラ８００の概略構成図である。図９に示すように、図９は、第１ＵＥ９００の概略構成図である。
【０１２４】
ネットワークコントローラ８００は、受信ユニット８１０及び処理ユニット８２０を含む。
【０１２５】
受信ユニット８１０は、第１ＵＥと少なくとも１つのネットワークデバイスとの間のデータの送信または受信を実施するための、第１アクセスネットワークデバイスにより送信された第１メッセージを受信するように構成されており、第１メッセージは、ネットワークコントローラに、第１ＵＥのための少なくとも１つのネットワークデバイスを設定するように要求するために使用される。
【０１２６】
処理ユニット８２０は、第１ＵＥのための第２アクセスネットワークデバイスを設定するように構成されている。
【０１２７】
第１ユーザ装置９００は、送信ユニット９１０及び受信ユニット９２０を含む。
【０１２８】
送信ユニット９１０は、第１アクセスネットワークデバイスを使用して、第１ＵＥと少なくとも１つのネットワークデバイスとの間のデータの送信または受信を実施するための第１メッセージをネットワークコントローラに送信するように構成されており、第１メッセージは、ネットワークコントローラに、第１ＵＥのための少なくとも１つのネットワークデバイスを設定するように要求するために使用される。
【０１２９】
受信ユニット９２０は、第１アクセスデバイスを使用して、ネットワークコントローラにより送信された第２メッセージを受信するように構成され、第２メッセージは、ネットワークコントローラにより設定された少なくとも１つのネットワークデバイスが、第２アクセスデバイスを含んでいることを示すために使用される。
【０１３０】
本発明のこの実施形態は、異機種ネットワークに適用され得る。ネットワークは、ネットワークコントローラ、第１ＵＥ、及び少なくとも２つのアクセスネットワークデバイスを含む。少なくとも２つのアクセスネットワークデバイスは、第１通信規格をサポートする第１アクセスネットワークデバイスと、第２通信規格をサポートする第２アクセスネットワークデバイスとを含む。本発明のこの実施形態におけるアプリケーションシナリオについては、前述の対応する方法の実施形態の説明を参照されたい。詳細はここでは再び説明しない。
【０１３１】
第１アクセスネットワークデバイスは、マクロ基地局であり得る。マクロ基地局は、まず、ブロードキャスト情報をマクロ基地局のカバレッジ内のＵＥに送信する。ブロードキャスト情報は、周波数やサポートされる通信規格などのマクロ基地局の無線送信または受信パラメータを含み得、またマイクロ基地局及びWi-Fi基地局に関する情報などのマクロ基地局により管理されるアクセスネットワークデバイスに関する情報も含んでもよい。
【０１３２】
第１ＵＥ７９００は、受信されたブロードキャスト情報に従って、また第１ＵＥ７９００のアクセス能力を参照して、マクロ基地局にアクセスするかどうかを決定する。第１ＵＥ７９００がマクロ基地局にアクセスすると決定した場合には、第１ＵＥ７９００の送信ユニット７９１０は、第１メッセージを送信して、マクロ基地局へのアクセスを要求し得る。
【０１３３】
オプションで、制御信号の送信または受信は、第１ＵＥ９００とマクロ基地局との間で実施されてもよい。さらに、制御信号の送信または受信は、それらの間のＣ−Ｐｌａｎｅプロトコルスタックを使用して、第１ＵＥ９００とマクロ基地局との間で実施されてもよい。
【０１３４】
オプションで、第１ＵＥのアクセス能力９００は、ＵＥ能力、サービスクラス、又はＱｏＳ要求の少なくとも１つである。オプションで、第１メッセージは、第１ＵＥのアクセス能力情報を含んでもよい。
【０１３５】
第１ＵＥ９００とネットワーク側との間でのデータの送信または受信を実施するために、マクロ基地局は、第１メッセージをネットワークコントローラ８００に送信する。
【０１３６】
オプションで、第１ＵＥ９００とネットワーク側との間のデータの送信または受信は、それらの間のＵ−Ｐｌａｎｅプロトコルスタックを使用して、第１ＵＥ９００とアクセスネットワークデバイスとの間で実施されてもよい。
【０１３７】
ネットワークコントローラ６８００の処理ユニット６８２０は、第１ＵＥ７９００と少なくとも１つのネットワークデバイスとの間のデータの送信または受信を実施するための、第１ＵＥ７９００のアクセス能力情報などの第１メッセージに含まれている情報に従って、第１ＵＥのための少なくとも１つのネットワークデバイス７９００を設定し得る。ネットワークコントローラ６８００が第１ＵＥのためのアクセスネットワークデバイスを設定する場合、アクセスネットワークデバイスは、第２アクセスネットワークデバイスであり得る。第２アクセスネットワークデバイスによりサポートされる通信規格は、マクロ基地局、すなわち、第１アクセスデバイスによりサポートされるそれとは異なり得る。当然、実際の場合、第１アクセスネットワークデバイスによりサポートされる通信規格は、第２アクセスネットワークデバイスによりサポートされる通信規格と同じであってもよい。これは、本明細書に限定されない。
【０１３８】
オプションで、ネットワークコントローラ８００の処理ユニット８２０は、第１ＵＥ９００のための第３アクセスネットワークデバイスをさらに設定してもよい。第３アクセスネットワークデバイスによりサポートされる通信規格は、第２アクセスネットワークデバイスによりサポートされる通信規格とは異なり得る。あるいは、データの送信または受信が第１ＵＥ９００と第２アクセスネットワークデバイスとの間で実施されることを前提として、ネットワークコントローラ８００の処理ユニット８２０は、第１ＵＥのための第３アクセスネットワークデバイス９００を同時に設定してもよい。このようにして、第１ＵＥ９００は、第２アクセスネットワークデバイスとの、次に第３アクセスネットワークデバイスとのデータの送信または受信を実施でき、又は第２ネットワークデバイスおよび第３アクセスネットワークデバイスと同時にデータの送信または受信を実施することができる。２つのアクセスネットワークデバイスは、それぞれ２つの異なる通信規格をサポートする。実際の必要に応じて、ネットワークコントローラ８００の処理ユニット８２０は、第１ＵＥのための３つ以上のアクセスネットワークデバイス９００を設定する。ネットワークコントローラ８００の処理ユニット８２０が第１ＵＥのための３つ以上のアクセスネットワークデバイス９００を設定する場合、３つ以上のアクセスネットワークデバイスによりサポートされる通信規格の少なくとも１つは、マクロ基地局によりサポートされる通信規格とは異なっている。
【０１３９】
オプションで、第１ＵＥ７９００は、第１ＵＥ７９００が、第１ＵＥ９００とのデータの送信または受信を実行し得るアクセスネットワークデバイスを学習できるように、上記構成情報を通知し、その後、ネットワークコントローラ６８００により設定されたアクセスネットワークデバイスとのデータの送信または受信が実施される。この場合、ネットワークコントローラ６８００は、第１アクセスネットワークデバイスを使用して、第２メッセージを第１ＵＥに送信するように構成された送信ユニット６８３０をさらに含み得る。第２メッセージは、ネットワークコントローラ６８００により設定された少なくとも１つのネットワークデバイスを指示するために使用される。具体的には、第２メッセージは、第２アクセスネットワークデバイス、第２アクセスネットワークデバイス及び第３アクセスネットワークデバイス、又は上記のステップにおけるより多くのアクセスネットワークデバイスを示し得る。第２メッセージは、使用される必要がある周波数及びサポートされる通信規格などの、第１ＵＥと設定された少なくとも１つのネットワークデバイスとの間のデータの送信または受信で使用される、無線送信または受信パラメータをさらに含んでもよい。
【０１４０】
本発明のこの実施形態で提供される技術的ソリューションによれば、ネットワークコントローラは、ＵＥが複数のアクセスネットワークデバイスを使用してデータの送信または受信を実施できるように、ＵＥのための少なくとも１つのネットワークデバイスを設定する。本発明のこの実施形態の技術的ソリューションでは、ＵＥは、データの送信または受信のためのより適切なデータチャネルを使用することを選択することができる。
【０１４１】
オプションで、ネットワークが、第２ＵＥと、第２ＵＥとのデータの送信または受信を実施する第４アクセスネットワークデバイスとをさらに含む場合、かつ、第１ＵＥ９００がデータを第２ＵＥに送信する必要がある場合、第１ＵＥ９００の送信ユニット９１０は、第１ＵＥとのデータの送信または受信を実施するアクセスネットワークデバイスを使用して、データをネットワークコントローラに送信するようにさらに構成され、ネットワークコントローラ８００の受信ユニット８１０は、データを受信するようにさらに構成され、ネットワークコントローラ８００の送信ユニット８３０は、第４アクセスネットワークデバイスを使用して、データを第２ＵＥに送信するようにさらに構成される。
【０１４２】
コアネットワークを使用してデータを送信する必要がある従来技術と比較して、本発明のこの実施形態で提供される技術的ソリューションでは、ネットワークコントローラは、コアネットワーク側を使用することなく、データの送信または受信機能を実施する。したがって、通信遅延が減少し、サービスデータが効率的かつ簡便に送信され、ユーザのＱｏＳが改善される。
【０１４３】
オプションで、第１ＵＥ９００が第２ＵＥとワイファイピアツーピア(Wi-Fi P2P)通信を実行する必要がある場合、第１ＵＥの送信ユニット９１０は、第１ユーザ装置とデータの送信または受信を実施するアクセスネットワークデバイスを使用して、第３メッセージをネットワークコントローラに送信するようにさらに構成され、第３メッセージは、第２ＵＥとのWi-Fi P2P通信を実行するように要求するために使用され得、ネットワークコントローラ８００の受信ユニット８１０は、第３メッセージを受信するようにさらに構成され、ネットワークコントローラ８００の処理ユニット８２０は、第３メッセージに従って、第１ＵＥ９００及び第２ＵＥのためのチャネルリソースを設定するようにさらに構成されている。
【０１４４】
従来技術における、端末が自律的にチャネルリソースを選択する方式と比較して、本発明のこの実施形態において提供される技術的ソリューションでは、ネットワークコントローラが、Wi-Fi P2P通信を要求するＵＥのためのチャネルリソースを設定するため、無線チャネルリソースを適切かつ効率的に使用することができ、ＵＥのＱｏＳが改善される。
【０１４５】
さらに、サービス負荷、干渉レベルなどが変化した場合、ネットワークコントローラは、チャネルリソースを更新し、第１ＵＥとのデータの送信または受信を実施するアクセスネットワークデバイスを使用して、及び第４アクセスネットワークデバイスを使用して、チャネルリソース情報を第１ＵＥ及び第２ＵＥに時間内に別々に送信し得る。
【０１４６】
オプションで、第１ＵＥ９００がターゲットアクセスネットワークデバイスに切り替える必要がある場合、ネットワークコントローラ８００の送信ユニット８３０は、ソースアクセスネットワークデバイス(この方法において第１ＵＥとのデータの送信または受信を前に実施したアクセスネットワークデバイス)を使用して、切り替えコマンドを第１ＵＥ９００に送信する。切り替えコマンドは、第１ＵＥ９００が切り替わる必要のあるターゲットアクセスネットワークデバイスを含む。
【０１４７】
オプションで、本発明のこの実施形態において提供されるネットワークコントローラ８００及び第１ＵＥ９００の機能は、プロセッサ及びトランシーバにより協働的に実施されてもよい。
【０１４８】
本発明の実施形態は、他のネットワークコントローラ１０００及び他の第１ＵＥ１１００をさらに提供する。図１０は、本発明の一実施形態による他のネットワークコントローラ１０００の概略構成図である。図１１は、本発明の一実施形態による他の第１ＵＥ１１００の概略構成図である。
【０１４９】
図１０に示すように、ネットワークコントローラ１０００は、プロセッサ１０１０、メモリ１０２０、通信インターフェース１０３０、及びバス１０４０を含む。メモリ１０２０は、実行命令を格納する。デバイスが稼働している場合、プロセッサ１０１０は、バス１０４０を使用してメモリ１０２０と通信する。プロセッサ１０１０は、通信インターフェース１０３０を使用して、情報を受信及び送信し、メモリ１０２０に格納されているコンピュータ命令に従って、本発明の実施形態の図１から図７に提供されている方法の実施形態において開示されている方法のステップを実行する。
【０１５０】
図１１に示すように、第１ＵＥ１１００は、プロセッサ１１１０、メモリ１１２０、通信インターフェース１１３０、及びバス１１４０を含む。メモリ１１２０は、実行命令を格納する。デバイスが稼働している場合、プロセッサ１１１０は、バス１１４０を使用してメモリ１１２０と通信する。プロセッサ１１１０は、通信インターフェース１１３０を使用して情報を受信及び送信し、メモリ１１２０に格納されているコンピュータ命令に従って、本発明の実施形態の図１から図７に提供されている方法の実施形態において開示されている方法のステップを実行する。
【０１５１】
本発明のこの実施形態において提供される技術的ソリューションによると、ＵＥが複数のアクセスネットワークデバイスを同時に使用してデータの送信または受信を実施でき、２つのアクセスネットワークデバイスを使用して、それぞれデータの送信または受信と、制御信号の送信または受信が実施できるように、ネットワークコントローラが、ＵＥのための少なくとも１つのネットワークデバイスを設定する。本発明のこの実施形態の技術的ソリューションでは、無線リソースを適切かつ効率的に使用することでき、ＵＥのＱｏＳが改善される。
【０１５２】
図１０又は図１１のプロセッサは、汎用プロセッサ、デジタル信号プロセッサ(DSP)、特定用途向け集積回路(ASIC)、フィールド・プログラマブル・ゲート・アレイ(FPGA)又は他のプログラム可能な論理デバイス、離散ゲート又はトランジスタ論理デバイス、又は離散ハードウェア・コンポーネントであり得る。汎用プロセッサは、マイクロプロセッサ、又は任意の従来のプロセッサなどであってよい。本発明の実施形態を参照して説明された方法のステップは、ハードウェア・デコーディング・プロセッサにより直接実行されても、又はデコーディング・プロセッサのハードウェア及びソフトウェアモジュールの組み合わせを使用して実行されてもよい。コンピュータ命令は、ランダム・アクセス・メモリ、フラッシュメモリ、読み出し専用メモリ、プログラム可能な読み出し専用メモリ、電気的消去可能なプログラム可能なメモリ、又はレジスタのような当業で成熟した記憶媒体に配置されてもよい。格納媒体は、メモリに配置されている。プロセッサは、メモリの情報を読み出し、プロセッサのハードウェアと組み合わせて、実施形態の方法のステップを実行する。
【０１５３】
当業者であれば、前述の実施形態のすべての処理を理解し、実施することが可能である。関連するハードウェアと組み合わせてコンピュータプログラム命令を使用して、すべての処理を実施することができる。
【０１５４】
本発明の実施形態において提供されるソリューションでは、「第１」、「第２」、「第３」、「第４」などは、単に、異なるアクセスネットワークデバイスや異なるＵＥなどの、異なるオブジェクトを区別することを意図したものであり、実質的が限定を構成するものではない。
【０１５５】
上述の実施形態におけるアプリケーションシナリオ等の限定は、本発明の特定の技術的ソリューションを説明することを意図しているに過ぎず、本発明を限定するものではない。すなわち、前述の実施形態で説明した技術的ソリューションに修正を加えることができ、または技術的ソリューションのいくつかの技術的特徴を等価に置き換えることができる。このような変更および置換は、本発明の保護範囲内に含まれるものとする。
【符号の説明】
【０１５６】
８１０  受信ユニット
８２０  処理ユニット
８３０  送信ユニット
９１０  送信ユニット
９２０  受信ユニット
１０１０  プロセッサ
１０２０  メモリ
１０３０  通信インターフェース
１０４０  バス
１１１０  プロセッサ
１１２０  メモリ
１１３０  通信インターフェース
１１４０  バス
【図１】
0006564061.tif 000002
【図２】
0006564061.tif 000003
【図３】
0006564061.tif 000004
【図４】
0006564061.tif 000005
【図５】
0006564061.tif 000006
【図６】
0006564061.tif 000007
【図７】
0006564061.tif 000008
【図８】
0006564061.tif 000009
【図９】
0006564061.tif 000010
【図１０】
0006564061.tif 000011
【図１１】
0006564061.tif 000012